(57)【要約】【課題】簡単な構造で電池を電池収納部に安定的に保持することができ、且つ電池収納部への電池の組込みが容易な電子機器を提供すること。【解決手段】電子機器は、絶縁性を有する合成樹脂材料製の地板２に形成された電池収納部３を有する。電池収納部３の内周面３ａの周囲には、電池プラス端子４と２個の電池保持部５と６が配置されている。電池保持部５は、電池プラス端子４と電池１との当接位置から反時計方向に略１２０度の位置において電池収納部３の内周面３ａに形成された弾性突出部であり、スリット５ａとブリッジ部５ｂとで構成されている。電池保持部６は、電池プラス端子４と電池１との当接位置から時計方向に略１２０度の位置において電池収納部３の内周面３ａに形成された弾性突出部であり、スリット６ａとブリッジ部６ｂとで構成されている。ブリッジ部５ｂと６ｂには、突起５ｃと６ｃが夫々形成されている。【選択図】    図２
2004186007.tif 000002
【特許請求の範囲】
【請求項１】
絶縁性を有する板状保持部材の一部に形成され、導電性を有するばねで平面方向の移動を規制しながら電池を保持する電池収納部と、
前記電池収納部は収納される電池と同程度の直径を有する円筒状開口であって、前記金属製板ばねの弾性力に抗して前記電池の側面を弾性力で保持する少なくとも２個の電池保持部を前記電池収納部の側面に設けたことを特徴とする電子機器。
【請求項２】
前記電池保持部は、前記円筒状開口の側面に形成された弾性突起であることを特徴とする請求項１の電子機器。
【請求項３】
前記電池保持部は、前記円筒状開口の側面の一部に一体に形成された突起と、当該突起を平面的に移動させる弾性移動手段とで構成されたものであることを特徴とする請求項１の電子機器。
【請求項４】
前記弾性移動手段は、前記突起の表面と所定幅を隔てた位置において前記絶縁性を有する板状保持部材に形成されたスリットであることを特徴とする請求項３の電子機器。
【発明の詳細な説明】
【０００１】
【発明の属する技術分野】
本発明は電池を電源とする電子機器に関し、特に板状保持部材の一部に形成され、板バネで平面方向の移動を規制しながら電池を保持する電池収納部を備えた電池保持構造に関するものである。
【０００２】
【従来の技術】
時計モジュールの板状保持部材の一部に形成された電池収納部であって、電池を板バネで平面方向の移動を規制しながら保持する電池収納部を備えた電池保持構造は、例えば特許文献１に開示されている。
【０００３】
即ち、特許文献１には、輪列受の如き金属製の板状保持部材の一部に形成された電池収納部と、前記電池収納部に収納された電池の断面方向の移動量を規制する金属製の電池係合部と、前記電池収納室に収納された電池を前記電池係合部に押圧して電池の平面方向の移動量を規制する金属製の板ばねと、前記板バネ部の一方側近くに配置されて電池の平面方向の移動量を規制する高分子材料製のストッパと、前記板ばねの他方側の近くに配置されて電池の平面方向の移動量を規制する金属製の当接部とから構成された電池保持構造が開示されている。
【０００４】
前記板ばねと前記当接部は、前記板状保持部材の一部を加工して一体に形成されている。また、前記当接部は、電池組み込みの際の障害物にならないように、前記板状保持部材の高さよりも低い位置になるように配設されている。
【０００５】
上述の従来の電池保持構造では、固定の電池係合部の方向から板バネ部に電池の側面を押し付けながら電池を電池収納部に組み込むことになる。この場合、電池の側面は板ばねだけでなく、合成樹脂製のストッパと金属製の当接部にも当接する。これら３個の部材の弾性力に抗する押圧力を電池係合部の側から加えて、電池係合部に当接する電池の側面を電池係合部のひさしの下に入り込ませる。電池係合部に当接する電池の側面が電池係合部のひさしの下に入り込み、前記電池の側面とは反対側の側面がストッパと当接し、電池は電池収納部に完全に収納される。そして、電池収納部に収納された電池は、金属製の板ばねと合成樹脂製のストッパと金属製の当接部の弾性力によって、固定の電池係合部に平面的に押圧されて安定的に保持される。
【０００６】
上述の如く構成された電池保持構造は、完成時計モジュール状態で電池のみの交換を行えること、及び部品点数の削減によるコストダウンが図れることという２つの課題を解決するものである。
【０００７】
しかしながら、電池収納部と、金属製の電池係合部と、金属製の板ばねと、合成樹脂材料製のストッパと、金属製の当接部とから構成された従来の電池保持構造は、構造が複雑であること、電池は特定の一方向からしか組み込めないという問題がある。
【０００８】
【特許文献１】特開平１１−１６０４６２
【０００９】
【発明が解決しようとする課題】
本発明が解決しようとする課題は、簡単な構造で電池を電池収納部に安定的に保持することができ、且つ電池収納部への電池の組込みが容易な電子機器を提供することである。
【００１０】
【課題を解決するための手段】
上記課題を解決するために、本発明の電子機器は、絶縁性を有する板状保持部材の一部に形成され、導電性を有するばねで平面方向の移動を規制しながら電池を保持する電池収納部と、前記電池収納部は収納される電池と同程度の直径を有する円筒状開口であって、前記金属製板ばねの弾性力に抗して前記電池の側面を弾性力で保持する少なくとも２個の電池保持部を前記電池収納部の側面に設けたことを特徴とする。
【００１１】
本発明の電子機器は、前記電池保持部は、前記円筒状開口の側面に形成された弾性突起である。
【００１２】
本発明の電子機器は、前記電池保持部が、前記円筒状開口の側面の一部に一体に形成された突起と、当該突起が弾性を保持しながら平面的に移動させる弾性移動手段とで構成されたものである。そして、前記弾性移動手段は、前記突起の表面と所定幅を隔てた位置において前記絶縁性を有する板状保持部材に形成されたスリットである。
【００１３】
【発明の実施の形態】
本発明を図面に基づいて説明する。
図１と図２は、本発明の電子機器を電子時計に適用した場合における時計モジュール用の電池保持構造を示すもので、図１は電池を組込む前の状態の電池保持構造の平面図（Ａ）と前記平面図のＡ−Ｏ−Ａ’で切断した断面図（Ｂ）であり、図２は電池を組込んだ状態の電池保持構造の平面図（Ａ）と前記平面図のＡ−Ｏ−Ａ’で切断した断面図（Ｂ）である。
【００１４】
図１と図２に示す如く、電子時計に適用された電池保持構造は、絶縁性を有する材料、例えば合成樹脂材料製の板状保持部材である地板２の一部に形成された電池収納部３を有する。電池収納部３は電池１よりも少し大きい直径と電池１の厚みと同程度の深さの円筒状開口であって、内周面３ａと底面３ｂを有する。底面３ｂには、電池１のマイナス電極１ｂに当接する電池マイナス端子が配置されている。
【００１５】
電池収納部３の内周面３ａの周囲には、電池プラス端子４と２個の電池保持部５と６が配置されている。電池プラス端子４は、電池１のプラス電極１ａに当接する端子として機能すると共に、その弾性力で電池１を平面方向に押圧し電池収納部３に電池を保持するように機能する部品である。
【００１６】
電池保持部５は、電池プラス端子４と電池１との当接位置から反時計方向に１２０度の位置において電池収納部３の内周面３ａに形成された弾性突出部であり、スリット５ａとブリッジ部５ｂとで構成されている。同様に、電池保持部６は、電池プラス端子４と電池１との当接位置から時計方向に１２０度の位置において電池収納部３の内周面３ａに形成された弾性突出部であり、スリット６ａとブリッジ部６ｂとで構成されている。
【００１７】
スリット５ａと６ａは、電池収納部３の略内周線上の位置において、合成樹脂製の地板２に穿たれている。スリット５ａと６ａの長さは電池１の外周の１２分の１程度、幅は電池１の直径の２０分の１程度で、深さは地板２の厚さより僅かに小さい。
【００１８】
ブリッジ部５ｂと６ｂは、スリット５ａと６ａを地板２に設けたことにより形成された地板２の部分である。ブリッジ部５ｂと６ｂは、言わば大きな池の電池収納部３と小さな池のスリット５ａと６ａとの間に夫々架け渡された橋のような部材として機能するものである。ブリッジ部５ｂと６ｂの長さと幅はスリット５ａと６ａの長さと幅と略同じである。ブリッジ部５ｂと６ｂには、突起５ｃと６ｃが夫々形成されている。
【００１９】
上述の如く構成された本発明に係る電池保持構造、即ち合成樹脂材料製の板状保持部材である地板２の一部に形成された電池収納部３を有する電池保持構造において、電池１は金属製板ばねであるプラス端子４の方から電池収納部３に押し込まれる。すると、電池保持部５と６のブリッジ部５ｂと６ｂを外側に押圧する。電池１の側面で押圧された電池保持部５と６のブリッジ部５ｂと６ｂは外側に延びる。この状態で金属製板ばねであるプラス端子４を外側に押し広げる。すると、電池１は電池収納部３に押し込まれ、そのマイナス電極１ｂは電池収納部３の底面３ｂに着座し、そのプラス電極１ａはプラス端子４に当接する。このようにして、電池１は簡単に電池収納部３に組み込まれる。そして、電池収納部３に組み込まれた電池１は、１２０度の角度間隔で、３方向から弾性力が中心に向かって加えられ、電池収納部３に安定的に保持される。
【００２０】
本発明に係る電子機器、即ち絶縁性を有する材料、例えば合成樹脂材料製の板状保持部材である地板２の一部に形成された電池収納部３を有する電池保持構造において、電池収納部３に収納された電池１は、図２に示す如く、電池収納部３の中心に安定的に保持されている。これは、電池１の外周面と電池収納部３の内径との間隔を従来の電池保持構造よりもかなり大きくできるという本発明に係る電池保持構造の特徴に由来している。換言すれば、電池１の外周面と電池収納部３の内周面との間の間隔を、電池１の外径の公差を吸収する間隔よりも大きな間隙にして電池収納部３を形成できるのである。
【００２１】
従って、このような電池保持構造であるため、電池１を電池収納部に組み込むのは上述した電池プラス端子の側からだけでなく、電池プラス端子とは逆の側、電池保持部５の側、或いは電池保持部６の側からでもよい。従って、本発明に係る電池保持構造は、電池の組み込み性が非常によい。
【００２２】
なお、本発明の一実施形態において、金属製板ばねの弾性力に抗して電池の側面を弾性力で保持する電池保持部は金属製板ばねと電池の当接部から時計方向と反時計方向に夫々略１２０度の位置に配置されている２つであるが、電池保持部は３つ又は４つでもよい。また、スリット５ａと６ａは地板２を貫通しない有底のスリットであるが、地板２を貫通するスリットでもよい。また、金属製板ばねはプラス端子４を用いて構成しているが、他のばね性の板状部品を用いても構成できる。
【００２３】
【発明の効果】
本発明により、簡単な構造で電池を電池収納部に安定的に保持することができ、且つ電池収納部への電池の組込みが容易な電池保持構造を有する電子機器が提供された。
【図面の簡単な説明】
【図１】電池を組込む前の状態の本発明の一実施形態の電池保持構造の平面図（Ａ）と、前記平面図のＡ−Ｏ−Ａ’で切断した断面図（Ｂ）である。
【図２】電池を組込んだ状態の本発明の一実施形態の電池保持構造の平面図（Ａ）と、前記平面図のＡ−Ｏ−Ａ’で切断した断面図（Ｂ）である。
【図３】従来の電子時計の電池保持構造の一実施例の平面図である。
【符号の説明】
１  電池
１ａ  電池のプラス電極
１ｂ  電池のマイナス電極
２  地板
３  電池収納部
３ａ  内周面
３ｂ  底面
４  電池プラス端子
５  電池保持部
５ａ  スリット
５ｂ  ブリッジ部
５ｃ  突起部
６  電池保持部
６ａ  スリット
６ｂ  ブリッジ部
６ｃ  突起部
【図１】
2004186007.tif 000003
【図２】
2004186007.tif 000004
【図３】
2004186007.tif 000005